(57)【要約】【課題】  折り畳めて、重ねて持ち運び可能な歩行姿勢矯正具を提供する。【解決手段】  開示される歩行姿勢矯正具軟質性は、足型（２）、一直線状の紐（３）とを有し、足型（２）は、紐（３）に一定の間隔で複数、一定の角度で、左右互い違いとなるように、土踏まずの箇所に一直線状に接続されている。足型（２）の土踏まずの内側には、三日月状の凸部（２２）を有する。一定の間隔は２０ｃｍから４０ｃｍである。【選択図】図１
2019202103.tif 000002
【特許請求の範囲】
【請求項１】
軟質性の足型（２）と、紐（３）とを有し、前記足型（２）は、前記紐（３）に一定の間隔で複数が、一直線に伸ばした前記紐（３）に対して一定の角度となるように、左右互い違いに、かつ土踏まずの箇所において、前記紐（３）に接続されていることを特徴とする歩行姿勢矯正具。
【請求項２】
前記足型（２）の上面に土踏まずの領域に平面視三日月状の柔軟な凸部（２１）を備えることを特徴とする請求項１記載の歩行姿勢矯正具。
【請求項３】
前記一定の間隔は、２０ｃｍ〜４０ｃｍの範囲であることを特徴とする請求項１又は請求項２に記載の歩行姿勢矯正具。
【請求項４】
前記角度は、１５度から３０度の範囲であることを特徴とする請求項１から３のいずれかに記載の歩行姿勢矯正具。
【発明の詳細な説明】
【技術分野】
【０００１】      本願発明は歩行姿勢矯正具に関する。
【背景技術】
【０００２】年齢を重ねるごとに男女問わず姿勢が徐々に悪くなる。姿勢の悪化を防ぐ、折り畳めて持ち運べる歩行姿勢矯正具はなかった。
【先行技術文献】
【特許文献１】特開２００５−２７９１５３公報
【発明の概要】
【発明が解決しようとする課題】
【０００３】      折り畳めて、重ねて持ち運び可能な歩行姿勢矯正具を提供することを目的とする。
【課題を解決するための手段】
【０００４】軟質性の足型と（２）、一直線状の紐（３）とからなり、足型は、紐に一定の間隔で複数、一定の角度、左右互い違いに、土踏まずの箇所に一直線状に接続していることを特徴とする歩行姿勢矯正具である。【０００５】    前記足型（２）の土踏まずの内側に三日月状の凸部（２１）を備えることを特徴とする歩行姿勢矯正具。【０００６】  前記一定の間隔は２０ｃｍから４０ｃｍであることを特徴とする請求項１又は請求項２に記載の歩行姿勢矯正具である。
【発明の効果】
【０００７】紐に一定の間隔で複数、一定の角度、左右互い違いに、土踏まずの箇所に一直線状に接続し足型にあわせて、土踏まずから一歩づつ着地することで、姿勢を正すことができ、それにより健康な体を育成できる。
【図面の簡単な説明】
【０００８】
【図１】  本願発明の歩行姿勢矯正具を直線状に展開したときの構成例を示す平面図である。
【図２】  図１の歩行姿勢矯正具の足型の拡大平面図である。
【図３】  図２の足型の斜視図であり、（ａ）は上面斜視図、（ｂ）は底面斜視図である。
【図４】  図２の足型の斜視断面図である。
【発明を実施するための形態】
【０００９】図１に本願発明の歩行姿勢矯正具の構成例を示す。本願発明の歩行姿勢矯正具１は、軟質性の足型２と、一直線状の紐３とを有し、足型２（左足型２Ｌ、右足型２Ｒ）は、紐３に一定の間隔で複数、一直線に伸ばした紐３に対して、一定の角度Ａとなるように、互い違いに、土踏まずの箇所に接続されたことを特徴とする。足型２は例えばシート状である。一定の間隔は２０ｃｍから４０ｃｍであることが好ましい。
【００１０】  図２は、歩行姿勢矯正具１の足型２の拡大平面図である。角度Ａは、足型２の前端２２と後端２３とを結ぶ直線２０と、一直線上に伸ばした紐３との間のなす角度である。一定の角度Ａは１５度から３０度の範囲であることが望ましい。足型２の上面には土踏まずの領域に弾性材料でなる凸部２１を設ける。
【００１１】  足型２の前端２２と後端２３を結ぶ直線２０を二等分する点２４から、内側に直交して伸びる直線２５が、足型２の土踏まずの辺縁と交わる交点を点３３とする。紐３は、点３３を通るように、直線２２と２３に対して角度Ａで一直線状に延長した足型２の裏側の端点３５に亘って固着されている。
足型２に接続されるのが望ましい。点３３から点２４に向かって三分の一の地点を点２６とする。また、点２４から点２２に向かって三分の一の点を点２７とする。そして、直線２０に直交し、点２７より内側に伸びる直線が、足型２の辺縁と交差する点を点２８とする。さらに、点２４から点２３に向かって三分の一の地点を点２９とする。直線２０に直交し、点２９から内側へ伸びる直線が、足型２の辺縁と交差する点を点３４とする。凸部２１は、例えば点２８、２６、３４、３３で囲まれる領域に設けられる。
図２の線２２−２３とそれに直行する線は、発明を説明するための線である。
【００１２】  図３は、足型２の斜視図であり、（ａ）は上面斜視図、（ｂ）は底面斜視図である。図４は、足型２の斜視断面図である。凸部２１は、例えば高さ２センチメートルから５センチメートルの弾性材料（スポンジやシリコーンなど）でできている。凸部２１は、例えば接着剤により足型２の上面に固着されているが、面ファスナーなどで脱着できるのが好ましい。
【００１３】  足型は複数個、紐に連結された状態で、重ねて折り畳まれているが、使用するときは、図１に示すように、紐を一直線状に伸すことで、足型が交互に、進行方向に対してある一定の確度を保って、互い違いに配置される。歩行者は、一歩づつ、当該足型の上に、向きが同じになるように、足裏全体を足型にのせて、歩くことにより、背筋がのび、健康になる。
【００１４】  前記足型２の土踏まずの内側に三日月状の凸部２１を備えることにより、その凸部に足裏の土踏まずにあわせることができ、それにより、歩行を正しくすることができる。
【符号の説明】
【００１５】１  歩行姿勢矯正具
２  足型
２Ｌ  左足型
２Ｒ  右足型
２２    前端
２３    後端
３  紐
２１  凸部
Ａ  角度
【図１】
2019202103.tif 000003
【図２】
2019202103.tif 000004
【図３】
2019202103.tif 000005
【図４】
2019202103.tif 000006
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
軟質製のシート状の足型（２）と、紐（３）とを有し、前記足型（２）は、前記紐（３）に一定の間隔で複数が、足型（２）の前端から後端に向かう方向と、一直線に伸ばした前記紐（３）が伸びる方向とが一定の角度となるように、左足型、右足型を互い違いに、かつ土踏まずの箇所において、前記紐（３）に接続されていることを特徴とする歩行姿勢矯正具。
【請求項２】
前記足型（２）の上面に土踏まずの領域に平面視三日月状の柔軟な凸部（２１）を備えることを特徴とする請求項１記載の歩行姿勢矯正具。
【請求項３】
前記一定の間隔は、２０ｃｍ〜４０ｃｍの範囲であることを特徴とする請求項１又は請求項２に記載の歩行姿勢矯正具。
【請求項４】
前記角度は、１５度から３０度の範囲であることを特徴とする請求項１から３のいずれかに記載の歩行姿勢矯正具。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
軟質製のシート状の足型（２）と、紐（３）とを有し、前記足型（２）は、前記紐（３）に一定の間隔で複数が、足型（２）の前端から後端に向かう方向と、一直線に伸ばした前記紐（３）が伸びる方向とが一定の角度となるように、左足型、右足型を互い違いに、かつ土踏まずの箇所において、前記紐（３）に接続されていることを特徴とする、載置されたシート状の足型を踏むことで使用する歩行姿勢矯正具。
【請求項２】
前記足型（２）の上面に土踏まずの領域に平面視三日月状の柔軟な凸部（２１）を備えることを特徴とする請求項１記載の歩行姿勢矯正具。
【請求項３】
前記一定の間隔は、２０ｃｍ〜４０ｃｍの範囲であることを特徴とする請求項１又は請求項２に記載の歩行姿勢矯正具。
【請求項４】
前記角度は、１５度から３０度の範囲であることを特徴とする請求項１から３のいずれかに記載の歩行姿勢矯正具。